(57)【要約】【課題】特定の場所に設置される（取り付けられる）と自動的に点灯する照明ユニットの誤作動を防止する。【解決手段】照明ユニット（１０）は、光源（２０）と、光源を内部に収容する筐体であって、軟磁性体から形成された磁性体部（３３）を含む筐体（３０）と、筐体の内部に収容された磁気センサであって、磁性体部が磁化されたときに発生する磁界を検出できるように配置された磁気センサ（６０）と、磁気センサによる検出の結果に基づいて光源の点灯および消灯を制御する制御回路（４０）とを備える。【選択図】図２
2017208241.tif 000002
【特許請求の範囲】
【請求項１】
光源と、
前記光源を内部に収容する筐体であって、軟磁性体から形成された磁性体部を含む筐体と、
前記筐体の内部に収容された磁気センサであって、前記磁性体部が磁化されたときに発生する磁界を検出できるように配置された磁気センサと、
前記磁気センサによる検出の結果に基づいて前記光源の点灯および消灯を制御する制御回路と、
を備える照明ユニット。
【請求項２】
前記光源に電力を供給する電源をさらに備え、
前記電源および前記制御回路は、前記筐体の内部に収容されている請求項１に記載の照明ユニット。
【請求項３】
前記磁気センサは、ホール素子である請求項１または２に記載の照明ユニット。
【請求項４】
請求項１から３のいずれかに記載の照明ユニットと、
前記照明ユニットが着脱自在に取り付けられる取付け部を含むデバイス本体と、を備え、
前記取付け部は、磁石を含み、
前記磁性体部が前記磁石に吸着されることにより、前記照明ユニットが前記取付け部に取り付けられる照明ユニット付きデバイス。
【請求項５】
前記磁性体部の外表面は、球冠状の部分を含む請求項４に記載の照明ユニット付きデバイス。
【請求項６】
前記磁性体部の内表面は、中心近傍に凸部を有する請求項５に記載の照明ユニット付きデバイス。
【請求項７】
前記筐体は、非磁性体から形成された非磁性体部をさらに含み、
前記非磁性体部の外表面は、球冠状の部分を含み、
前記磁性体部は、前記非磁性体部に形成された孔に挿入されている請求項４に記載の照明ユニット付きデバイス。
【請求項８】
前記磁性体部の一端は、前記非磁性体部の内表面から突出している請求項７に記載の照明ユニット付きデバイス。
【請求項９】
前記磁性体部の一部が前記筐体の外側に露出している請求項７または８に記載の照明ユニット付きデバイス。
【請求項１０】
前記磁性体部が前記筐体の外側に露出していない請求項７または８に記載の照明ユニット付きデバイス。
【請求項１１】
前記磁石は、リング状である請求項５から１０のいずれかに記載の照明ユニット付きデバイス。
【請求項１２】
前記取付け部は、リング状の前記磁石に挿通され、前記磁石を前記デバイス本体に固定するネジをさらに含み、
前記磁石には、前記ネジの頭部が収まる皿穴が形成されている請求項１１に記載の照明ユニット付きデバイス。
【請求項１３】
前記取付け部は、リング状の前記磁石に重なるように配置されたリング状のスペーサと、リング状の前記磁石および前記スペーサに挿通され、前記磁石および前記スペーサを前記デバイス本体に固定するネジと、をさらに含み、
前記スペーサには、前記ネジの頭部が収まる皿穴が形成されている請求項１１に記載の照明ユニット付きデバイス。
【請求項１４】
前記取付け部は、前記デバイス本体に固定され、その内部に前記磁石が埋設されたカバー部材をさらに含み、
前記カバー部材の外表面は、前記磁性体部の外表面に整合する形状を有する請求項５から１０のいずれかに記載の照明ユニット付きデバイス。
【請求項１５】
前記磁性体部の外表面は、平面状の部分を含む請求項４に記載の照明ユニット付きデバイス。
【請求項１６】
前記磁性体部の内表面は、中心近傍に凸部を有する請求項１５に記載の照明ユニット付きデバイス。
【請求項１７】
前記筐体は、非磁性体から形成された非磁性体部をさらに含み、
前記非磁性体部の外表面は、平面状の部分を含み、
前記磁性体部は、前記非磁性体部に形成された孔に挿入されている請求項４に記載の照明ユニット付きデバイス。
【請求項１８】
前記磁性体部の一端は、前記非磁性体部の内表面から突出している請求項１７に記載の照明ユニット付きデバイス。
【請求項１９】
前記磁性体部の一部が前記筐体の外側に露出している請求項１７または１８に記載の照明ユニット付きデバイス。
【請求項２０】
前記磁性体部が前記筐体の外側に露出していない請求項１７または１８に記載の照明ユニット付きデバイス。
【請求項２１】
前記取付け部は、前記磁石を回転自在に支持するボールジョイント部をさらに含む請求項１５から２０のいずれかに記載の照明ユニット付きデバイス。
【発明の詳細な説明】
【技術分野】
【０００１】
本発明は、照明ユニットに関し、特に、持ち運び可能な照明ユニットやウェアラブルな照明ユニットに関する。また、本発明は、照明ユニット付デバイスにも関する。
【背景技術】
【０００２】
持ち運び可能（ポータブル）な照明機器やウェアラブルな照明機器として、点灯および消灯が手動で直接切り替えられるのではなく、特定の場所に設置される（取り付けられる）と自動的に点灯するものが提案されている。例えば、特許文献１には、作業工具に取り付けて用いる小型ライトが開示されている。
【０００３】
図１７に、特許文献１に開示されている小型ライト９００を示す。小型ライト９００は、ＬＥＤ９０１と、複数のボタン電池９０２と、これらを収容する筒状のケース体９０３とを備える。
【０００４】
複数のボタン電池９０２は、直列に接続されている。ケース体９０３は、樹脂材料などの絶縁体から形成されており、取り外し可能な蓋部９０４によって密封されている。ケース体９０３の下部には、台座部９０５が設けられている。台座部９０５には、導電性を有する磁石９０６が、その一部が突出した状態で埋設されている。
【０００５】
ＬＥＤ９０１は、負側端子９０７および正側端子９０８を有する。負側端子９０７は、ボタン電池９０２の負極に接触するように配置されており、ボタン電池９０２の負極に電気的に接続されている。正側端子９０８は、磁石９０６に接触するように配置されており、磁石９０６に電気的に接続されている。
【０００６】
ボタン電池９０２の正極に電気的に接続された端子９０９が、台座部９０５から突出している。この端子９０９と、磁石９０６とは、所定の間隔で離間している。
【０００７】
小型ライト９００の磁石９０６を、作業工具の一部（具体的には金属材料から形成された部位）に吸着させると、磁石９０６と端子９０９とが導通して、 ＬＥＤ９０１が点灯する。また、磁石９０６をその部位から取り外すと、ＬＥＤ９０１が消灯する。
【０００８】
このように、特許文献１の小型ライト９００では、手動による点灯および消灯の切り替えが不要となる。
【先行技術文献】
【特許文献】
【０００９】
【特許文献１】特開２００５−６３９２５号公報
【発明の概要】
【発明が解決しようとする課題】
【００１０】
しかしながら、特許文献１の小型ライト９００では、端子９０８および９０９が外部に露出している（つまりむき出しである）ので、誤作動のおそれがある。例えば、小型ライト９００に水滴などがかかることによって意図しない点灯が起こったり、端子９０９の摩耗に起因する接点不良が起こったりする。
【００１１】
本発明は、上記問題に鑑みてなされたものであり、その目的は、特定の場所に設置される（取り付けられる）と自動的に点灯する照明ユニットの誤作動を防止することにある。
【課題を解決するための手段】
【００１２】
本発明の実施形態による照明ユニットは、光源と、前記光源を内部に収容する筐体であって、軟磁性体から形成された磁性体部を含む筐体と、前記筐体の内部に収容された磁気センサであって、前記磁性体部が磁化されたときに発生する磁界を検出できるように配置された磁気センサと、前記磁気センサによる検出の結果に基づいて前記光源の点灯および消灯を制御する制御回路と、を備える。
【００１３】
ある実施形態において、本発明による照明ユニットは、前記光源に電力を供給する電源をさらに備え、前記電源および前記制御回路は、前記筐体の内部に収容されている。
【００１４】
ある実施形態において、前記磁気センサは、ホール素子である。
【００１５】
本発明の実施形態による照明ユニット付きデバイスは、上述したいずれかの構成を有する照明ユニットと、前記照明ユニットが着脱自在に取り付けられる取付け部を含むデバイス本体と、を備え、前記取付け部は、磁石を含み、前記磁性体部が前記磁石に吸着されることにより、前記照明ユニットが前記取付け部に取り付けられる。
【００１６】
ある実施形態において、前記磁性体部の外表面は、球冠状の部分を含む。
【００１７】
ある実施形態において、前記磁性体部の内表面は、中心近傍に凸部を有する。
【００１８】
ある実施形態において、前記筐体は、非磁性体から形成された非磁性体部をさらに含み、前記非磁性体部の外表面は、球冠状の部分を含み、前記磁性体部は、前記非磁性体部に形成された孔に挿入されている。
【００１９】
ある実施形態において、前記磁性体部の一端は、前記非磁性体部の内表面から突出している。
【００２０】
ある実施形態において、前記磁性体部の一部が前記筐体の外側に露出している。
【００２１】
ある実施形態において、前記磁性体部が前記筐体の外側に露出していない。
【００２２】
ある実施形態において、前記磁石は、リング状である。
【００２３】
ある実施形態において、前記取付け部は、リング状の前記磁石に挿通され、前記磁石を前記デバイス本体に固定するネジをさらに含み、前記磁石には、前記ネジの頭部が収まる皿穴が形成されている。
【００２４】
ある実施形態において、前記取付け部は、リング状の前記磁石に重なるように配置されたリング状のスペーサと、リング状の前記磁石および前記スペーサに挿通され、前記磁石および前記スペーサを前記デバイス本体に固定するネジと、をさらに含み、前記スペーサには、前記ネジの頭部が収まる皿穴が形成されている。
【００２５】
ある実施形態において、前記取付け部は、前記デバイス本体に固定され、その内部に前記磁石が埋設されたカバー部材をさらに含み、前記カバー部材の外表面は、前記磁性体部の外表面に整合する形状を有する。
【００２６】
ある実施形態において、前記磁性体部の外表面は、平面状の部分を含む。
【００２７】
ある実施形態において、前記磁性体部の内表面は、中心近傍に凸部を有する。
【００２８】
ある実施形態において、前記筐体は、非磁性体から形成された非磁性体部をさらに含み、前記非磁性体部の外表面は、平面状の部分を含み、前記磁性体部は、前記非磁性体部に形成された孔に挿入されている。
【００２９】
ある実施形態において、前記磁性体部の一端は、前記非磁性体部の内表面から突出している。
【００３０】
ある実施形態において、前記磁性体部の一部が前記筐体の外側に露出している。
【００３１】
ある実施形態において、前記磁性体部が前記筐体の外側に露出していない。
【００３２】
ある実施形態において、前記取付け部は、前記磁石を回転自在に支持するボールジョイント部をさらに含む。
【発明の効果】
【００３３】
本発明の実施形態によると、特定の場所に設置される（取り付けられる）と自動的に点灯する照明ユニットの誤作動を防止することができる。
【図面の簡単な説明】
【００３４】
【図１】本発明の実施形態による照明ユニット付眼鏡型ルーペ１００を模式的に示す斜視図である。
【図２】眼鏡型ルーペ１００が備える照明ユニット１０および取付け部６を模式的に示す断面図である。
【図３】照明ユニット１０を模式的に示す斜視図である。
【図４】照明ユニット１０を模式的に示す斜視図である。
【図５】取付け部６に取り付けられた状態の照明ユニット１０の向きを変える様子を模式的に示す図である。
【図６】（ａ）は、取付け部６を模式的に示す断面図であり、（ｂ）は、取付け部６が含む磁石８０Ａを模式的に示す斜視図である。
【図７】（ａ）は、取付け部６を模式的に示す断面図であり、（ｂ）は、取付け部６が含む磁石８０Ｂを模式的に示す斜視図である。
【図８】（ａ）は、取付け部６を模式的に示す断面図であり、（ｂ）は、取付け部６が含む磁石８０Ｃを模式的に示す斜視図である。
【図９】（ａ）、（ｂ）、（ｃ）および（ｄ）は、それぞれ磁性体部３３Ａ、３３Ｂ、３３Ｃおよび３３Ｄを模式的に示す断面図である。
【図１０】照明ユニット１０Ａおよび取付け部６を模式的に示す断面図である。
【図１１】図６（ａ）に示す取付け部６に照明ユニット１０Ａの磁性体部３６を吸着させた状態を示す図である。
【図１２】照明ユニット１０Ａの第３筐体部３３Ｅの他の例を模式的に示す断面図である。
【図１３】照明ユニット１０Ａの第３筐体部３３Ｅの他の例を模式的に示す断面図である。
【図１４】照明ユニット１０Ｂおよび取付け部６Ａを模式的に示す断面図である。
【図１５】照明ユニット１０Ｃおよび取付け部６Ａを模式的に示す断面図である。
【図１６】照明ユニット１０Ｃの第３筐体部３３Ｇの他の例を模式的に示す断面図である。
【図１７】特許文献１に開示されている小型ライト９００を模式的に示す断面図である。
【発明を実施するための形態】
【００３５】
以下、図面を参照しながら、本発明の実施形態による照明ユニットおよび照明ユニット付デバイスを説明する。なお、以下では、照明ユニット付デバイスとして、ウェアラブルデバイスの一種である照明ユニット付眼鏡型ルーペを例示するが、本発明はこれに限定されるものではない。
【００３６】
（実施形態１）
図１を参照しながら、本発明の実施形態による照明ユニット付眼鏡型ルーペ（以下では単に「眼鏡型ルーペ」とも呼ぶ）１００の構成を説明する。図１は、眼鏡型ルーペ１００を模式的に示す斜視図である。
【００３７】
眼鏡型ルーペ１００は、図１に示すように、ルーペ本体（デバイス本体）１と、ルーペ本体１に取り付けられる照明ユニット１０とを備える。ルーペ本体１は、フレーム２と、フレーム２に取り付けられたレンズ部４と、フレーム２の一部に設けられた取付け部６とを有する。
【００３８】
フレーム２は、眉部２ａと、一対のアーム２ｂとから構成される。眉部２ａは、眼鏡型ルーペ１００の装着時に、ユーザの眉の近傍を通り顔の前方で水平方向に延びる部分である。一対のアーム部２ｂは、眼鏡型ルーペ１００の装着時に、ユーザのこめかみ近傍を通り耳に向けて顔の側方で水平方向に延びる部分である。
【００３９】
一対のアーム部２ｂは、眉部２ａの両端部（眼鏡におけるヨロイ部分）に連結されている。各アーム２ｂは、蝶番などによって眉部２ａに対して折り畳み可能に接続されていてもよいし、眉部２ａと一体的に形成されていてもよい。
【００４０】
また、アーム部２ｂの２つの端部のうち、眉部２ａに接続されていない方の端部は、自由端である。ユーザは、アーム２ｂの自由端を耳で支持するような態様で、眼鏡型ルーペ１００を頭部に装着することができる。なお、アーム１ｂの自由端は、図１に示すような直線状でなくてもよく、一般的な眼鏡と同様に、耳にフィットしやすい曲線状であってもよい。
【００４１】
フレーム２は、例えば樹脂材料から形成されるが、勿論これに限定されるものではない。眉部２ａとアーム２ｂとは、異なる材料から形成されていてもよい。また、強度を向上させる観点から、眉部２ａとアーム２ｂとを含むフレーム２を同じ材料で一体的に形成してもよい。
【００４２】
レンズ部４は、フレーム２の眉部２ａに取り付けられている。レンズ部４は、透光性の材料から形成されている。ユーザは、レンズ部４越しに拡大された像を観察することができる。
【００４３】
レンズ部４は、眉部２ａに対して固定されていてもよいし、摺動可能または旋回可能に支持されていてもよい。また、図１には、１つのレンズ部４が設けられる構成を例示しているが、ユーザの両眼に対応する位置に配置される一対のレンズ部を用いてもよい。またレンズ部４は、用途によって取り換え可能であってもよい。レンズ部４を取り換えることにより、所望の観察倍率が得られる。
【００４４】
取付け部６は、図１に示す例では、フレーム２の眉部２ａの中央部（装着時にユーザの眉間に対応する位置）に設けられている。照明ユニット１０は、取付け部６に着脱自在に取り付けられる。
【００４５】
眼鏡型ルーペ１００は、他の種々の部材を含んでいてもよい。例えば、一般的な眼鏡と同様に、フレーム２またはレンズ部４に固定されたノーズパッドを備えていてもよい。ノーズパッドは、装着時にユーザの鼻と当接するように設けられ、鼻において眼鏡型ルーペ１００が支持される。これにより、装着の安定性を向上させることができる。
【００４６】
続いて、図２および図３を参照しながら、照明ユニット１０および取付け部６の構成を説明する。図２は、照明ユニット１０および取付け部６を模式的に示す断面図である。図３は、照明ユニット１０を模式的に示す斜視図である。
【００４７】
照明ユニット１０は、光源２０と、光源２０を内部に収容する筐体３０と、光源２０の点灯および消灯を制御する制御回路４０と、光源３０に電力を供給する電源５０とを備える。本実施形態における照明ユニット１０は、さらに、筐体３０の内部に収容された磁気センサ６０を備える。
【００４８】
光源２０は、所望の色の光（典型的には白色光）を出射する。光源２０は、例えば、発光ダイオード（ＬＥＤ）である。光源２０としてＬＥＤ以外の発光素子（例えばハロゲンランプ）を用いてもよい。また、光源２０の数は１に限定されない。必要に応じて複数の光源２０が設けられてもよい。図２に示す例では、光源２０は、基板（光源基板）２１によって支持されている。
【００４９】
筺体３０は、３つの部分（それぞれ「第１筐体部」、「第２筐体部」および「第３筐体部」と呼ぶ）３１、３２および３３から構成されている。
【００５０】
第１筐体部３１は、略円筒状である。第１筐体部３１は、非磁性体（例えばアルミニウムや樹脂材料）から形成されている。第１筐体部３１内には、照度の均一性を向上させるためのレンズ３４が配置されている。レンズ３４は、光源２０から出射した光を受ける位置に設けられている。レンズ３４は、例えば平凸レンズであるが、これに限定されるものではない。また、必要に応じ、レンズ３４に加えて、または、レンズ３４に代えて、レンズ３４以外の光学素子（ミラーなど）が配置されてもよい。
【００５１】
第２筐体部３２は、略円筒状である。第２筐体部３２は、非磁性体（例えばアルミニウムや樹脂材料）から形成されている。第２筐体部３２は、第１筐体部３１に嵌め合わされている。第２筐体部３２の一端部（第１筐体部３１に近い方の端部）に、光源基板２１が取り付けられている。光源２０によって発せられた光は、レンズ３４を介して外部に出射する。
【００５２】
第３筐体部３３は、軟磁性体から形成されている。以下では、第３筐体部３３を「磁性体部」と呼ぶこともある。磁性体部３３の材料である軟磁性体としては、例えば、マルテンサイト系ステンレスを用いることができる。勿論、マルテンサイト系ステンレス以外の軟磁性体（例えばフェライト系ステンレスや鉄、ニッケル、コバルトなど）を用いてもよい。
【００５３】
磁性体部３３の外表面３３ａは、球冠状の部分を含む。本実施形態では、磁性体部３３は、略半球状であり、磁性体部３３の外表面３３ａは、略半球面状である。
【００５４】
磁性体部３３は、第２筐体部３２に嵌め合わされている。軟磁性体から形成されている磁性体部３３は、後述するように磁石（取付け部６の磁石８０）を近付けられると磁化されて磁界を発生させる。
【００５５】
磁気センサ６０は、磁性体部３３が磁化されたときに発生する磁界を検出できるように配置されている。つまり、磁気センサ６０は、磁性体部３３の近傍に配置されている。磁気センサ６０としては、例えば、ホール素子を好適に用いることができる。ホール素子は、ホール効果を利用して磁界を検出する半導体素子である。ホール素子の具体的な構成としては、公知の種々の構成を用いることができる。ここでは、磁気センサ６０は、基板（磁気センサ基板）６１によって支持されており、第２筐体部３２の他端部（第１筐体部３１から近い方の端部）近傍に磁気センサ基板６１が取り付けられている。
【００５６】
光源２０および磁気センサ６０は、それぞれ配線７１および７２を介して制御回路４０および電源５０に電気的に接続されている。本実施形態では、制御回路４０および電源５０は、筐体１０の外部に配置されている。制御回路４０および電源５０は、例えば、不図示のカバーによって覆われている。
【００５７】
制御回路４０は、磁気センサ６０による検出の結果に基づいて、光源２０の点灯および消灯を制御する。より具体的には、制御回路４０は、所定の強度以上の磁界が検出された場合に光源２０を点灯状態とし、それ以外の場合には光源２０を消灯状態とする。制御回路４０は、例えばマイコンであるが、これに限定されるものではない。制御回路４０は、トランジスタなどを用いたスイッチ回路であってもよい。また、制御回路４０は、明るさを一定にするための定電流出力制御機能や、調光のための電流可変機能を有していてもよい。
【００５８】
電源５０は、例えば、充電池や乾電池である。図２に例示している構成では、電源５０からの電力の供給の有無を、主電源スイッチ５１のオン・オフによって切り替えることができる。
【００５９】
ルーペ本体１の取付け部６は、磁石８０を含んでいる。照明ユニット１０の磁性体部３３が磁石８０に吸着されることにより、照明ユニット１０が取付け部６に取り付けられる。
【００６０】
図２に示している例では、磁石８０は、リング状（円環状）であり、取付け部６は、リング状の磁石８０に挿通されるネジ８１をさらに含む。ネジ８１は、非磁性体（例えばオーステナイト系ステンレスや、アルミニウム、樹脂材料など）から形成されている。ネジ８１によって、磁石８０がルーペ本体１に（ここではフレーム２の眉部２ａに）固定される。磁石８０には、ネジ８１の頭部８１ａが収まる空間（「皿穴」と呼ばれる）８０ａが形成されている。
【００６１】
上述したように、本実施形態における照明ユニット１０では、筐体３０が、軟磁性体から形成された磁性体部３３を含んでおり、筐体３０の内部に、磁性体部３３が磁化されたときに発生する磁界を検出できるように磁気センサ６０が配置されている。そして、磁気センサ６０による検出の結果に基づいて、制御回路４０により光源２０の点灯および消灯が制御される。本実施形態の照明ユニット１０では、主電源をオフにしておけば（主電源スイッチ５１をオフ状態にしておけば）磁気センサ６０は動作しないので、照明ユニット１０に水滴などがかかっても誤作動（意図しない点灯）が発生しにくい。また、筐体３０の外部に端子などを露出させる必要がないので、摩耗に起因する接点不良の発生も抑制される。
【００６２】
なお、図２および図３には、制御回路４０および電源５０が筐体３０の外部に配置される例（つまり外付けの例）を示しているが、制御回路４０および電源５０の配置はこの例に限定されない。図４に示すように、制御回路４０および電源５０が筐体３０の内部に収容されていても（つまり制御回路４０および電源５０が内蔵されていても）よい。制御回路４０および電源５０を筐体３０の内部に収容することにより、照明ユニット１０全体を防水機構にすることが容易となる。
【００６３】
また、本実施形態では、磁性体部３３の外表面３３ａが球冠状の部分を含んでいるとともに、取付け部６の磁石８０がリング状である。そのため、磁性体部３３の外表面３３ａを、リング状の磁石８０の内側の縁で摺動させることによって、図５に示すように、照明ユニット１０が取付け部６に取り付けられた状態のままで照明ユニット１０の向き（光の照射方向）を簡単に変えることができる。つまり、上述した構成により、照明ユニット１０を回転自在に支持することができる。
【００６４】
続いて、図６、図７および図８を参照しながら、取付け部６の構成のバリエーションを説明する。図６（ａ）、図７（ａ）および図８（ａ）は、それぞれ取付け部６を模式的に示す断面図である。図６（ｂ）、図７（ｂ）および図８（ｂ）は、それぞれ取付け部６の磁石８０Ａ、８０Ｂおよび８０Ｃを模式的に示す斜視図である。
【００６５】
図６（ａ）および（ｂ）に示す例では、取付け部６は、リング状の磁石８０Ａと、磁石８０Ａに挿通されるネジ８１とを含む。磁石８０Ａには、ネジ８１の軸部８１ｂが挿通される開口部８０ｂと、ネジ８１の頭部（皿頭）８１ａが収まる皿穴８０ａとが形成されており、ネジ８１によって、磁石８０Ａがルーペ本体１に固定される。
【００６６】
図６（ａ）および（ｂ）に示す構成により、ルーペ本体１に磁石８０Ａを容易に固定することができる。ただし、この構成では、照明ユニット１０の筐体３０と磁石８０Ａとが直接接触するので、筐体３０に摩擦傷が生じる可能性がある。
【００６７】
図７（ａ）および（ｂ）に示す例では、取付け部６は、リング状の磁石８０Ｂと、磁石８０Ｂに重なるように配置されたリング状のスペーサ８２と、磁石８０Ｂおよびスペーサ８２に挿通されるネジ８１とを含む。磁石８０Ｂには、ネジ８１の軸部８１ｂが挿通される開口部８０ｂが形成されている。スペーサ８２には、ネジ８１の頭部８１ａが収まる皿穴８２ａが形成されている。ネジ８１によって、磁石８０Ｂおよびスペーサ８２がルーペ本体１に固定される。
【００６８】
図７（ａ）および（ｂ）に示す構成によっても、ルーペ本体１に磁石８０Ｂを容易に固定することができる。また、スペーサ８２が、筐体３０よりも硬度が低い材料（例えばＰＰ（ポリプロピレン）、ＡＢＳ樹脂、ＰＣ（ポリカーボネート）などの樹脂材料）から形成されていると、筐体３０に摩擦傷が生じることを防止できる。
【００６９】
図８（ａ）および（ｂ）に示す例では、取付け部６は、円柱状の磁石８０Ｃと、ルーペ本体１に固定されたカバー部材８３とを含む。磁石８０Ｃは、カバー部材８３の内部に埋設されている。カバー部材８３は、ネジ８１によってルーペ本体１（フレーム２の眉部２ａ）に固定されている。カバー部材８３の外表面８３ａは、磁性体部３３の外表面３３ａに整合する形状を有する。具体的には、カバー部材８３の外表面８３ａは、凹球面状の部分を含む。
【００７０】
図８（ａ）および（ｂ）に示す構成によっても、ルーペ本体１に磁石８０Ｃを容易に固定することができる。また、カバー部材８３が、筐体３０よりも硬度が低い材料（例えばＰＰ（ポリプロピレン）、ＡＢＳ樹脂、ＰＣ（ポリカーボネート）などの樹脂材料）から形成されていると、筐体３０に摩擦傷が生じることを防止できる。また、磁石８０Ｃおよびネジ８１がカバー部材８３によって覆われており、外部から見えないので、外観に統一感を与えることができる。なお、ここではカバー部材８３がネジ８１によってルーペ本体１に固定される構成を例示したが、カバー部材８３をルーペ本体１にはめ込んだり、接着したりすることによって固定を行ってもよい。また、円柱状の磁石８０Ｃに代えて、任意の形状の磁石を用いてもよい。
【００７１】
続いて、図９（ａ）〜（ｄ）を参照しながら、磁性体部３３の構成のバリエーションを説明する。図９（ａ）、（ｂ）、（ｃ）および（ｄ）は、それぞれ磁性体部３３Ａ、３３Ｂ、３３Ｃおよび３３Ｄを模式的に示す断面図である。
【００７２】
図９（ａ）に示す磁性体部３３Ａでは、内表面（筐体３０の内部に面する表面）３３ｂは、平坦である（つまり凸部や凹部を有していない）。図９（ｂ）に示す磁性体部３３Ｂでは、内表面３３ｂは、中心近傍に凸部３３ｂ１を有する。図９（ｃ）に示す磁性体部３３Ｃでは、内表面３３ｂは、中心近傍に凸部３３ｂ１を有するとともに、外縁近傍に凸部３３ｂ２を有する。中心近傍の凸部３３ｂ１は、外縁近傍の凸部３３ｂ２よりも高い。図９（ｄ）に示す磁性体部３３Ｄでは、内表面３３ｂは、外縁近傍に凸部３３ｂ２を有する（中心近傍には凸部を有していない）。
【００７３】
磁性体部３３としては、磁界センサ６０の近傍に磁界が集中するような（つまり内表面３３ｂの中心近傍の磁界が強くなるような）形状のものを用いることが好ましい。そのため、図９（ｄ）に示す磁性体部３３Ｄよりも、図９（ａ）に示す磁性体部３３Ａを用いることが好ましく、図９（ｂ）および（ｃ）に示す磁性体部３３Ｂおよび３３Ｃを用いることがさらに好ましい。
【００７４】
なお、磁気センサ６０として、ホール素子以外の素子を用いてもよい。例えば、磁気センサ６０として、リードスイッチを用いてもよい。ただし、リードスイッチは、機械的接点を有するので衝撃や振動に弱い。これに対し、ホール素子は、衝撃や振動に強いので、ウェラブルデバイス用の照明ユニットの磁気センサとして特に好適に用いられる。
【００７５】
（実施形態２）
図１０を参照しながら、本実施形態における照明ユニット１０Ａの構成を説明する。図１０は、照明ユニット１０Ａおよび取付け部６を模式的に示す断面図である。以下では、本実施形態の照明ユニット１０Ａが、実施形態１における照明ユニット１０と異なる点を中心として説明を行う。
【００７６】
本実施形態の照明ユニット１０Ａは、実施形態１における照明ユニット１０の第３筐体部３３とは異なる構成の第３筐体部３３Ｅを有する。照明ユニット１０Ａの第３筐体部３３Ｅは、図１０に示すように、非磁性体（例えばアルミニウムや樹脂材料）から形成された非磁性体部３５と、軟磁性体（例えばマルテンサイト系ステンレス）から形成された磁性体部３６とを含む。
【００７７】
非磁性体部３５の外表面３５ａは、球冠状の部分を含む。本実施形態では、非磁性体部３５は、略半球状であり、その外表面３５ａは、略半球面状である。
【００７８】
磁性体部３６は、ここでは円柱状であり、非磁性体部３５に形成された孔に挿入されている。磁性体部３６の一端３６ａは、非磁性体部３５の内表面３５ｂから突出している。また、非磁性体部３５の孔は、貫通孔であり、磁性体部３６の一部（端面）３６ｂは、筐体３０の外側に露出している。
【００７９】
本実施形態における照明ユニット１０Ａにおいても、筐体３０が、軟磁性体から形成された磁性体部３６を含んでおり、筐体３０の内部に、磁性体部３６が磁化されたときに発生する磁界を検出できるように磁気センサ６０が配置されている。そして、磁気センサ６０による検出の結果に基づいて、制御回路４０により光源２０の点灯および消灯が制御される。本実施形態の照明ユニット１０Ａでは、主電源をオフにしておけば磁気センサ６０は動作しないので、照明ユニット１０Ａに水滴などがかかっても誤作動（意図しない点灯）が発生しにくい。また、筐体３０の外部に端子などを露出させる必要がないので、摩耗に起因する接点不良の発生も抑制される。
【００８０】
また、本実施形態では、非磁性体部３５の外表面３５ａが球冠状の部分を含んでいるとともに、取付け部６のスペーサ８２がリング状である。そのため、非磁性体部３５の外表面３５ａを、リング状のスペーサ８２の内側の縁で摺動させることによって、照明ユニット１０Ａが取付け部６に取り付けられた状態のままで照明ユニット１０Ａの向き（光の照射方向）を簡単に変えることができる。
【００８１】
さらに、実施形態１の照明ユニット１０では第３筐体部３３全体が磁性体部であるのに対し、本実施形態の照明ユニット１０Ａでは、第３筐体部３３Ｅの一部のみが磁性体部３６である。第３筐体部３３Ｅの磁性体部３６以外の部分（つまり非磁性体部３５）の材料として比較的軽量な材料（例えば例示しているアルミニウムや樹脂材料）を用いることにより、筐体３０全体（ひいては照明ユニット１０Ａ全体）の軽量化を図ることができる。
【００８２】
なお、図１０には、制御回路４０および電源５０が筐体３０の外部に配置される例（つまり外付けの例）を示しているが、制御回路４０および電源５０の配置はこの例に限定されない。制御回路４０および電源５０が筐体３０の内部に収容されていてもよい。制御回路４０および電源５０を筐体３０の内部に収容することにより、照明ユニット１０Ａ全体を防水機構にすることが容易となる。
【００８３】
照明ユニット１０Ａを用いる場合、取付け部６としては、図６に示した構成よりも、図７および図８に示した構成を採用することが好ましい。図６に示した構成を採用すると、図１１に示すように、磁性体部３６をリング状の磁石８０Ａの中心付近にうまく位置させることができず、照明ユニット１０Ａを回転自在に支持できないおそれがある。そのため、取付け部６として、図７に示した構成または図８に示した構成を採用することが好ましい。
【００８４】
また、図１０には、非磁性体部３５の孔が貫通孔であり、磁性体部３６の一部（端面）３６ｂが筐体３０の外側に露出している構成を例示しているが、図１２に示す構成を採用してもよい。図１２に示す構成では、非磁性体部３５の孔は、非貫通孔（有底孔）であり、磁性体部３６が筐体３０の外側に露出していない。図１２の構成では、図１０に示す構成よりも、取付け部６と磁性体部３６との距離が長くなるので、吸着力が低下するものの、外観に統一感を与えることができる。
【００８５】
また、図１３に示す構成を採用してもよい。図１３に示す構成では、図１２に示す構成と同様、磁性体部３６は筐体３０の外側に露出していない。ただし、図１３に示す構成では、磁性体部３６が略半球状である。磁性体部３６の内表面３６ｂは、中心近傍に凸部３６ｂ１を有する（磁性体部３６の一端（凸部３６ｂ１）が非磁性体部３５の内表面よりも内側に突出しているともいえる）。図１３の構成を採用した場合でも、外観に統一感を与えることができる。また、取付け部６の磁石と磁性体部３６との距離関係が、実施形態１における距離関係に近くなるので、図１２に示す構成を採用した場合よりも、照明ユニット１０Ａの回転を好適に（より自在に）行うことができる。
【００８６】
（実施形態３）
図１４を参照しながら、本実施形態における照明ユニット１０Ｂおよび取付け部６Ａの構成を説明する。図１４は、照明ユニット１０Ｂおよび取付け部６Ａを模式的に示す断面図である。以下では、本実施形態の照明ユニット１０Ｂおよび取付け部６Ａが、実施形態１における照明ユニット１０および取付け部６と異なる点を中心として説明を行う。
【００８７】
本実施形態の照明ユニット１０Ｂが有する第３筐体部３３Ｆは、実施形態１の照明ユニット１０の第３筐体部３３と同様に、軟磁性体（例えばマルテンサイト系ステンレス）から形成されている（以下では、第３筐体部３３Ｆを「磁性体部」と呼ぶこともある）。ただし、磁性体部３３Ｆは、外表面３３ａが平面状の部分を含む点において、実施形態１の照明ユニット１０の磁性体部３３と異なっている。本実施形態では、磁性体部３３Ｆは、略円盤状であり、その外表面３３ａは、平面状の部分（円盤の頂面に相当する部分）３３ａ１と、曲面状の部分（円盤の側面に相当する部分）３３ａ２とを含む。また、磁性体部３３Ｅの内表面３３ｂは、中心近傍に凸部３３ｂ１を有する。
【００８８】
取付け部６Ａは、磁石８０Ｃと、磁石８０Ｃを回転自在に支持するボールジョイント部８４とを含む。
【００８９】
磁石８０Ｃは、円柱状であり、カバー部材８５の内部に埋設されている。カバー部材８５の外表面８５ａは、磁性体部３３Ｅの外表面３３ａに整合する形状を有する。具体的には、カバー部材８５の外表面８５ａは、平面状の部分を含む。
【００９０】
ボールジョイント部８４は、ボールスタッド８４ａと、ソケット８４ｂとから構成される。ボールスタッド８４ａは、一端部が球状であり、他端部がカバー部材８５に接続されている。ソケット８４ｂは、ボールスタッド８４ａの一端部（球状の部分）に球面接触する。ソケット８４ｂは、ネジ８１によってルーペ本体１に固定されている。
【００９１】
本実施形態における照明ユニット１０Ｂにおいても、筐体３０が、軟磁性体から形成された磁性体部３３Ｆを含んでおり、筐体３０の内部に、磁性体部３３Ｆが磁化されたときに発生する磁界を検出できるように磁気センサ６０が配置されている。そして、磁気センサ６０による検出の結果に基づいて、制御回路４０により光源２０の点灯および消灯が制御される。本実施形態の照明ユニット１０Ｂでは、主電源をオフにしておけば磁気センサ６０は動作しないので、照明ユニット１０Ｂに水滴などがかかっても誤作動（意図しない点灯）が発生しにくい。また、筐体３０の外部に端子などを露出させる必要がないので、摩耗に起因する接点不良の発生も抑制される。
【００９２】
また、本実施形態では、取付け部６Ａが、磁石８０Ｃを回転自在に支持するボールジョイント部８４を含んでいることにより、照明ユニット１０Ｂが取付け部６Ａに取り付けられた状態のままで照明ユニット１０Ｂの向き（光の照射方向）を簡単に変えることができる。さらに、本実施形態では、光の照射方向を変えても、磁石８０Ｃと磁気センサ６０との相対的な配置関係（位置関係）が同じままである。従って、光の照射方向を変えても、磁気センサ６０に対して磁界の方向が変化しない。そのため、照明ユニット１０Ｂの回転角度に制約が少なく、実施形態１および２よりも、回転角度を大きくすることができる。
【００９３】
図１５に、本実施形態における他の照明ユニット１０Ｃを示す。照明ユニット１０Ｃの第３筐体部３３Ｇは、図１５に示すように、非磁性体（例えばアルミニウムや樹脂材料）から形成された非磁性体部３７と、軟磁性体（例えばマルテンサイト系ステンレス）から形成された磁性体部３８とを含む。
【００９４】
非磁性体部３７の外表面３７ａは、平面状の部分を含む。ここでは、非磁性体部３７は、略円盤状であり、その外表面３７ａは、平面状の部分（円盤の頂面に相当する部分）３７ａ１と、曲面状の部分（円盤の側面に相当する部分）３７ａ２とを含む。
【００９５】
磁性体部３８は、ここでは円柱状であり、非磁性体部３７に形成された孔に挿入されている。磁性体部３８の一端３８ａは、非磁性体部３７の内表面３７ｂから突出している。また、非磁性体部３７の孔は、貫通孔であり、磁性体部３８の一部（端面）３８ｂは、筐体３０の外側に露出している。
【００９６】
図１４に示した照明ユニット１０Ｂでは、第３筐体部３３Ｆ全体が磁性体部であるのに対し、図１５に示す照明ユニット１０Ｃでは、第３筐体部３３Ｇの一部のみが磁性体部３８である。第３筐体部３３Ｇの磁性体部３８以外の部分（つまり非磁性体部３７）の材料として比較的軽量な材料（例えば例示しているアルミニウムや樹脂材料）を用いることにより、筐体３０全体（ひいては照明ユニット１０Ｃ全体）の軽量化を図ることができる。
【００９７】
なお、図１５には、非磁性体部３７の孔が貫通孔であり、磁性体部３８一部（端面）３８ｂが筐体３０の外側に露出している構成を例示しているが、図１６に示す構成を採用してもよい。図１６に示す構成では、非磁性体部３７の孔は、非貫通孔（有底孔）であり、磁性体部３８が筐体３０の外側に露出していない。図１６の構成では、図１５に示す構成よりも、取付け部６Ａと磁性体部３８との距離が長くなるので、吸着力が低下するものの、外観に統一感を与えることができる。
【００９８】
また、図１４および図１５には、制御回路４０および電源５０が筐体３０の外部に配置される例（つまり外付けの例）を示しているが、制御回路４０および電源５０の配置はこの例に限定されない。制御回路４０および電源５０が筐体３０の内部に収容されていてもよい。制御回路４０および電源５０を筐体３０の内部に収容することにより、照明ユニット１０Ｂ全体または照明ユニット１０Ｃ全体を防水機構にすることが容易となる。
【００９９】
また、ここではボールジョイント部８４（ソケット８４ｂ）がネジ８１によってルーペ本体１に固定される構成を例示したが、ソケット８４ｂをルーペ本体１にはめ込んだり、粘着テープを用いたりすることによって固定を行ってもよい。また、円柱状の磁石８０Ｃに代えて、任意の形状の磁石を用いてもよい。例えば、図６（ｂ）および図７（ｂ）に示したような、リング状の磁石８０Ａおよび８０Ｂを用いてもよい。リング状の磁石８０Ａおよび８０Ｂを用いる場合、これらは必ずしもカバー部材８５によって覆われていなくてもよく、ボールジョイント部８４に何らかの手法により（例えばネジ止めにより）固定されていればよい。
【０１００】
なお、上記の説明では、照明ユニット付デバイスとして眼鏡型ルーペ１００を例示したが、本発明の実施形態による照明ユニット付デバイスは、眼鏡型ルーペ１００以外のウェアラブルデバイス（例えばヘッドランプ付ヘルメット）であってもよい。また、本発明の実施形態による照明ユニット付デバイスは、必ずしもウェアラブルデバイスでなくてもよく、例えば、照明ユニット付工具であってもよい。工具の一部に、磁石を含む取付け部を設けることにより、例示したような照明ユニット１０、１０Ａ、１０Ｂ、１０Ｃを工具本体に着脱自在に取り付けることができる。
【産業上の利用可能性】
【０１０１】
本発明の実施形態によると、特定の場所に設置される（取り付けられる）と自動的に点灯する照明ユニットの誤作動を防止することができる。本発明の実施形態による照明ユニットは、種々のデバイスに好適に用いられる。
【符号の説明】
【０１０２】
１    ルーペ本体（デバイス本体）
２    フレーム
２ａ    眉部
２ｂ    アーム部
４    レンズ部
６、６Ａ    取付け部
１０、１０Ａ、１０Ｂ、１０Ｃ    照明ユニット
２０    光源
２１    光源基板
３０    筺体
３１    第１筐体部
３２    第２筐体部
３３、３３Ａ、３３Ｂ、３３Ｃ、３３Ｄ    第３筐体部（磁性体部）
３３Ｅ、３３Ｆ、３３Ｇ    第３筐体部（磁性体部）
３３ａ    第３筐体部の外表面
３３ｂ    第３筐体部の内表面
３３ｂ１、３３ｂ２    凸部
３４    レンズ
３５    非磁性体部
３５ａ    非磁性体部の外表面
３５ｂ    非磁性体部の内表面
３６    磁性体部
３７    非磁性体部
３７ａ    非磁性体部の外表面
３７ｂ    非磁性体部の内表面
３８    磁性体部
４０    制御回路
５０    電源
６０    磁気センサ
６１    磁気センサ基板
７１、７２    配線
８０、８０Ａ、８０Ｂ、８０Ｃ    磁石
８０ａ    皿穴
８０ｂ    開口部
８１    ネジ
８１ａ    ネジの頭部
８１ｂ    ネジの軸部
８２    スペーサ
８３    カバー部材
８３ａ    カバー部材の外表面
８４    ボールジョイント部
８４ａ    ボールスタッド
８４ｂ    ソケット
８５    カバー部材
８５ａ    カバー部材の外表面
１００    照明ユニット付眼鏡型ルーペ（照明ユニット付デバイス）
【図１】
2017208241.tif 000003
【図２】
2017208241.tif 000004
【図３】
2017208241.tif 000005
【図４】
2017208241.tif 000006
【図５】
2017208241.tif 000007
【図６】
2017208241.tif 000008
【図７】
2017208241.tif 000009
【図８】
2017208241.tif 000010
【図９】
2017208241.tif 000011
【図１０】
2017208241.tif 000012
【図１１】
2017208241.tif 000013
【図１２】
2017208241.tif 000014
【図１３】
2017208241.tif 000015
【図１４】
2017208241.tif 000016
【図１５】
2017208241.tif 000017
【図１６】
2017208241.tif 000018
【図１７】
2017208241.tif 000019